(57)【要約】【課題】サービスの切り換え時にかかる被測定器（ＤＡＢ受信機）の処理ルーチンを短縮し、周波数特性などの測定時間の短縮を図ることができるデジタルオーディオ放送信号発生器を提供する。【解決手段】デジタルオーディオ放送規格に準拠したテスト信号を生成するデジタルオーディオ放送信号発生器において、単一のサービス情報信号受信時に、スイッチ手段もしくはＧＰＩＢなどの通信手段により、受信したサービス情報にエンコードされるオーディオ信号発生手段の発振周波数あるいは出力レベルを可変し、周波数特性または歪率あるいはＳ／Ｎを測定できるように構成する。【選択図】        図１
2004153615.tif 000002
【特許請求の範囲】
【請求項１】
デジタルオーディオ放送規格に準拠したテスト信号を生成するデジタルオーディオ放送信号発生器において、
単一のサービス情報信号受信時に、スイッチ手段もしくはＧＰＩＢなどの通信手段により受信したサービス情報信号にエンコードされるオーディオ信号発生手段の発振周波数あるいは出力レベルを可変するように構成したことを特徴とするデジタルオーディオ放送信号発生器。
【請求項２】
請求項１記載のデジタルオーディオ放送信号発生器において、単一のサービス情報信号受信時に、スイッチ手段もしくはＧＰＩＢなどの通信手段により受信したサービス情報信号にエンコードされるオーディオ信号発生手段の発振周波数あるいは出力レベルを可変し、周波数特性または歪率あるいはＳ／Ｎを測定可能に構成したことを特徴とするデジタルオーディオ放送信号発生器。
【請求項３】
前記オーディオ信号発生手段は、フロントパネルに設けた複数個のファンクションスイッチの選択切り換えに基づき、発振周波数あるいは出力レベルを可変するように構成したことを特徴とする請求項１または２記載のデジタルオーディオ放送信号発生器。
【請求項４】
前記オーディオ信号発生手段は、自動掃引手段により発振周波数あるいは出力レベルを可変するように構成したことを特徴とする請求項１または２記載のデジタルオーディオ放送信号発生器。
【請求項５】
請求項１または２記載のデジタルオーディオ放送信号発生器において、前記スイッチ手段により、１つのサービス情報信号を受信した状態のままで、その受信したサービス情報信号のＭＰＥＧデータを変更させるように構成したことを特徴とするデジタルオーディオ放送信号発生器。
【請求項６】
請求項１または２記載のデジタルオーディオ放送信号発生器において、固定メモリ（ＲＯＭ）データから正弦波を供給するように構成したことを特徴とするデジタルオーディオ放送信号発生器。
【発明の詳細な説明】
【０００１】
【発明の属する技術分野】
この発明は、移動体を対象とするデジタルオーディオ放送規格に準拠したテスト信号を発生するデジタルオーディオ放送信号発生器に関し、特に、欧州規格のデジタルオーディオ放送（ＤＡＢ：Ｄｉｇｉｔａｌ  Ａｕｄｉｏ  Ｂｒｏａｄｃａｓｔｉｎｇ）システムの信号伝送路をシミュレートするためのデジタルオーディオ放送信号発生器に関するものである。
【０００２】
【従来の技術】
デジタルオーディオ放送（ＤＡＢ）には、直交周波数分割多重方式（ＯＦＤＭ）が採用され、符号化されたデータを分割して、伝送帯域幅（約１．５ＭＨｚ）内で数百以上の搬送波に振り分け、多重して複数のオーディオプログラムを送信するように構成している。この方式は、伝送中のマルチパス干渉などに強く、移動受信に適している。欧州で実施されているデジタルオーディオ放送の伝送フレームは、フレーム同期チャンネルと、このフレーム同期チャンネルに続く高速情報チャンネル（以下、ＦＩＣという）と、このＦＩＣに続くメインサービスチャンネル（以下、ＭＳＣという）とからなる。
【０００３】
上記ＦＩＣには、多重化列、サービス（オーディオプログラム等）の名称、巡回冗長チェック（ＣＲＣ）などの情報が含まれている。ＭＳＣには、複数のサービス（オーディオプログラム）ＩＤの情報が含まれ、時間軸上に多重化されたデータが含まれている。また、このデジタルオーディオ放送には、送信モード１、２、３およびモード４の４種類がある。モード１は、単一周波数ネットワーク（ＳＦＮ：Ｓｉｎｇｌｅ  Ｆｒｅｑｕｅｎｃｙ  Ｎｅｔｗｏｒｋ）による全国放送であり、モード２は、地方放送であり、またモード３は、衛星放送等に用いられている。
【０００４】
例えば、モード１の場合には、１フレームは、ヌルシンボルを除いてＯＦＤＭシンボル単位で７６ＯＦＤＭシンボルから構成され、フレーム同期チャンネルは、１ＯＦＤＭシンボル（ヌルシンボルを含めると２ＯＦＤＭシンボル）で、高速情報チャンネル（ＦＩＣ）は、３ＯＦＤＭシンボル、メインサービスチャンネル（ＭＳＣ）は、７２ＯＦＤＭシンボルで構成されている。ここで、１ＯＦＤＭシンボルは、１５３６のＱＰＳＫシンボル（ダイビット）から構成されている。すなわち、１ＯＦＤＭシンボルは、３０７２ビットから構成されている。
【０００５】
従来、上述した欧州規格のデジタルオーディオ放送（ＤＡＢ）システムの伝送路をシミュレートするためのデジタルオーディオ放送信号発生器としては、図１に示すように構成したテスト信号発生器があった。この図１に示すデジタルオーディオ放送信号発生器は、ＦＩＣデータ生成部１と、ＭＳＣデータ生成部２およびＯＦＤＭ信号発生部（変調部）３から構成されている。このデジタルオーディオ放送信号発生器は、オーディオ周波数信号やシリアルデータを入力とし、ＤＡＢ・ＩＦ信号を出力するように構成され、ＤＡＢ受信機のオーディオプログラムサービス並びにデータサービスアプリケーションの検証に利用することができるように構成されている。
【０００６】
また、他の従来のデジタルオーディオ放送信号発生器としては、ベースバンド上で伝搬遅延に相当するデータ遅延回路を有し、その遅延量が自由に設定でき、単一周波数ネットワーク（ＳＦＮ）の伝搬環境およびマルチパスのシミュレーションを行なうことができるように構成しているものもある。（例えば、特許文献１参照）
【０００７】
【特許文献１】
特開平９−２３３０４５号公報（第２頁―４頁、第１図）
【０００８】
【発明が解決しようとする課題】
従来のデジタルオーディオ放送信号発生器にあっては、特に、ＤＡＢ受信機の製造ライン等で、ＤＡＢ受信機の周波数特性を測定する際、異なるサービスにそれぞれ異なる周波数がプリセットされており、それを切り換えることで測定を行なっていた。
【０００９】
例えば、図２（ｂ）の特定アンサンブルのサービス内容の一例に示すように、サービス１には、周波数２０Ｈｚの正弦波が、またサービス２には、周波数１００Ｈｚの正弦波が、そして、サービス６には、周波数２０ＫＨｚの正弦波がそれぞれプリセットされている。このプリセットされた周波数を図３（ｂ）に示す被測定器（ＤＡＢ受信機）から見た特定アンサンブルのサービス１〜６にて周波数特性を測定する場合のフローチャートのように、順次サービスを切り換えることで、周波数特性の測定が行なわれていた。
【００１０】
この図３（ｂ）に示すフローチャートによれば、ステップＳ１で、イニシャライズした後、ステップＳ２でヌルシンボルを検出する。次いで、ステップＳ３で、ＦＩＣとＭＳＣの解析を行い、ステップＳ４でサービス１を受信すると共に、計測用の周波数２０Ｈｚの正弦波を供給する。次に、サービス２に切り換えると、ステップＳ５は、ＹＥＳで、サービス２を受信し、周波数１００Ｈｚの正弦波を供給して、ステップＳ６へ進む。このようにして、サービス６まで、順次サービスを切り換えることによって、プリセットされた周波数２０Ｈｚ〜２０ＫＨｚまでの正弦波を供給し、周波数特性の測定を行なうように構成していた。
【００１１】
しかし、従来のデジタルオーディオ放送信号発生器は、サービスを切り換えることによって、周波数を切り換えていたため、被測定器（ＤＡＢ受信機）側のサービス切り換えに要する時間がかかり、周波数特性の計測時間が長くなり、製造コストがかかるという問題点があった。
【００１２】
この発明は、従来の技術の有するこのような問題点に鑑みてなされたものであって、その目的とするところは、サービスの切り換え時にかかる被測定器側の処理ルーチンを短縮、すなわち、分単価の削減により製造コストの低減を図ることができるデジタルオーディオ放送信号発生器を提供しようとするものである。
【００１３】
【課題を解決するための手段】
上記の目的を達成するために、請求項１記載の発明は、デジタルオーディオ放送規格に準拠したテスト信号を生成するデジタルオーディオ放送信号発生器において、単一のサービス情報信号受信時に、スイッチ手段もしくはＧＰＩＢなどの通信手段により受信したサービス情報信号にエンコードされるオーディオ信号発生手段の発振周波数あるいは出力レベルを可変するように構成したことを特徴とする。
【００１４】
請求項２記載の発明は、デジタルオーディオ放送規格に準拠したテスト信号を生成するデジタルオーディオ放送信号発生器において、単一のサービス情報信号受信時に、スイッチ手段もしくはＧＰＩＢなどの通信手段により受信したサービス情報信号にエンコードされるオーディオ信号発生手段の発振周波数あるいは出力レベルを可変し、周波数特性または歪率あるいはＳ／Ｎを測定可能に構成したことを特徴とする。
【００１５】
請求項３記載の発明は、請求項１または２記載のデジタルオーディオ放送信号発生器において、上記オーディオ信号発生手段を、フロントパネルに設けた複数個のファンクションスイッチの選択切り換えに基づき、発振周波数あるいは出力レベルを可変するように構成したことを特徴とする。
【００１６】
請求項４記載の発明は、請求項１または２記載のデジタルオーディオ放送信号発生器において、上記オーディオ信号発生手段を、自動掃引手段により発振周波数あるいは出力レベルを可変するように構成したことを特徴とする。
【００１７】
請求項５記載の発明は、請求項１または２記載のデジタルオーディオ放送信号発生器おいて、上記スイッチ手段により、１つのサービス情報信号を受信した状態ままで、その受信したサービス情報信号のＭＰＥＧデータを変更させるように構成したことを特徴とする。
【００１８】
請求項６記載の発明は、請求項１または２記載のデジタルオーディオ放送信号発生器において、固定メモリ（ＲＯＭ）データから正弦波を供給するように構成したことを特徴とする。
【００１９】
【発明の実施の形態】
この発明の実施の形態を実施例にもとづき図面を参照して説明する。
図１は、デジタルオーディオ放送信号発生器の一例を示すブロック図である。図２（ａ）は、特定アンサンブルのサービス内容およびファンクションスイッチとの関係を示す説明図である。図３（ａ）は、被測定器（ＤＡＢ受信機）側から見た特定アンサンブルの単一のサービスにて周波数特性を測定する場合のフローチャートである。図４は、デジタルオーディオ放送信号発生器のフロントパネル（操作面）の一例を示す配置図である。
【００２０】
この図１に示す実施例は、オーディオ信号発生器４により生成された正弦波をＭＰＥＧエンコーダ５へ取り込み、ＯＦＤＭ・ＩＦ信号として出力端子６から出力する構成自体は、上述した従来のデジタルオーディオ放送信号発生器の構成と同じである。
この実施例の特長とするところは、図２（ａ）に示すように、１つのサービス、例えば、サービス１を受信した状態のままで、図４に示すフロントパネル９に設けたファンクションスイッチＡ〜Ｆを順次切り換えることで、図２（ａ）に示す周波数２０Ｈｚ〜２０ＫＨｚの正弦波をＭＰＥＧエンコーダ５へ供給し、ＭＰＥＧデータを変更させて、周波数特性を短時間で測定できるように構成したことにある。
【００２１】
この図１に示す実施例は、ＦＩＣデータ生成部１と、ＭＳＣデータ生成部２およびＯＦＤＭ信号発生部３とで構成している。ＦＩＣ生成部１のユーザ書き込みメモリ（ＲＡＭ）７は、パーソナルコンピュータＰＣ上で作成し転送したＦＩＣを格納する。また、ＰＮ信号発生器８は、３種類のＰＮ信号発生器（２３次、１５次、９次）であり、フロントパネル（操作面）９で選択される。固定メモリ１０は、固定ＭＳＣに対応するＦＩＣが格納される。ＰＮ信号発生器１１は、３種類のＰＮ信号発生器（２３次、１５次、９次）であり、フロントパネル９で選択される。１２はエネルギ拡散スクランブラ、１３は畳み込みエンコーダである。
【００２２】
ＭＳＣデータ生成部２は、オーディオ信号発生器４を備えている。このオーディオ信号発生器４は、フロントパネル９のファンクションスイッチＡ〜Ｆを選択切り換えすることにより、周波数２０Ｈｚ〜２０ＫＨｚの正弦波を生成し、ＭＰＥＧエンコーダ５へ供給する。ＭＰＥＧエンコーダ５は、ファンクションスイッチＡ〜Ｆの選択切り換え操作に基づき、１つのサービス情報信号、例えば、サービス１を受信した状態のまま、サービス１のＭＰＥＧデータを変更するように構成している。さらに、このＭＳＣデータ生成部２は、２０次のＰＮ信号を発生するＰＮ信号発生器１４と、固定データが記憶される固定メモリ１５と、エネルギ拡散スクランブラ１６と、畳み込みエンコーダ１７と、タイムインターリーバ１８と、マルチプレクサ１９等を備えている。
【００２３】
マルチプレクサ２０は、ＦＩＣとＭＳＣとを時分割多重する。また、ＯＦＤＭ信号発生部３のＯＦＤＭ変調器２１は、ＰＱＳＫシンボルマッピング、周波数インターリブ、同期シンボル挿入、差動符号化等を行い、各送信モードに従ったＯＦＤＭ変調を行なう。Ｄ／Ａ変換器２２は、Ｉ／Ｑ信号をアナログ信号に変換する。直交変調器２３は、Ｉ／Ｑ信号を直交変調し、ＩＦ信号として出力端子６から出力するように構成している。
【００２４】
このように構成した図１に示す実施例によれば、被測定器（ＤＡＢ受信機）の周波数特性を測定する場合は、図３（ａ）に示すように、ステップＳ１でイニシャライズした後、ステップＳ２でヌルシンボルを検出する。次いで、ステップＳ３で、ＦＩＣとＭＳＣの解析をし、ステップＳ４でサービス１を受信する。このサービス１を受信した状態のままで、図２（ａ）に示すように、図４のフロントパネル９に設けたファンクションスイッチＡ〜Ｆを順次切り換え操作を行いプリセットされた周波数２０Ｈｚ〜２０ＫＨｚの正弦波をＭＰＥＧエンコーダ５へ供給し、サービス１のＭＰＥＧデータを変更させることにより、被測定器の周波数特性を測定することが可能となる。このように、サービス１の受信状態のままで、周波数を切り換えることができるから、図３（ａ）に示すように、周波数特性の計測を行なう際の処理ルーチンを大幅に短縮することができ、計測時間の短縮を図ることができる。
【００２５】
なお、この実施例では、被測定器の周波数特性を測定する場合について説明したが、この発明は、周波数特性の測定に限定されるものではなく、プリセットされた周波数を例えば、１ＫＨｚ、１０ＫＨｚ、２０ＫＨｚと切り換えて、歪率やＳ／Ｎを測定することも可能である。
【００２６】
さらに、この実施例では、ＭＰＥＧエンコーダ５のＭＰＥＧデータを変更するように構成したが、ＭＰＥＧエンコーダ５に代えて、固定メモリ１５等のＲＯＭデータから正弦波を供給するように構成することもできる。また、この実施例では、ファンクションスイッチＡ〜Ｆを用い周波数２０Ｈｚ〜２０ＫＨｚの正弦波を順次切り換えるように構成しているが、周波数を自動掃引させて自動的に供給するように構成することもできる。また、ファンクションスイッチＡ〜Ｆのスイッチ手段に代えて、ＧＰＩＢなどの通信手段により受信したサービス情報信号に、エンコードされる発振周波数あるいは出力レベルを可変するように構成することもできる。
【００２７】
【発明の効果】
この発明は、以上説明したように構成されているので、サービス切り換え時にかかる被測定器（ＤＡＢ受信機）の処理ルーチンを短縮することが可能となり、周波数特性または歪率あるいはＳ／Ｎの測定時間の短縮、ひいては、分単価の削減による製造コストの低減を図ることができる。
【図面の簡単な説明】
【図１】デジタルオーディオ放送信号発生器の一例を示すブロック図である。
【図２】特定アンサンブルのサービス内容および周波数とその関係を示す説明図である。
【図３】被測定器側から見た周波数特性を測定する場合のフローチャートである。
【図４】フロントパネル（操作面）の一例を示す配置図である。
【符号の説明】
１      ＦＩＣデータ生成部
２      ＭＳＣデータ生成部
３      ＯＦＤＭ信号発生部
４      オーディオ信号発生器
５      ＭＰＥＧエンコーダ
６      ＯＦＤＭ・ＩＦ信号出力端子
９      フロントパネル
Ａ〜Ｆ      ファンクションスイッチ
【図１】
2004153615.tif 000003
【図２】
2004153615.tif 000004
【図３】
2004153615.tif 000005
【図４】
2004153615.tif 000006